【手続補正書】
【提出日】平成24年7月18日(2012.7.18)
【手続補正１】
【補正対象書類名】明細書
【補正対象項目名】発明の名称
【補正方法】変更
【補正の内容】
【発明の名称】発光装置の製造方法、発光装置製造装置、および発光装置
【手続補正２】
【補正対象書類名】特許請求の範囲
【補正対象項目名】全文
【補正方法】変更
【補正の内容】
【特許請求の範囲】
【請求項１】
発光素子と、前記発光素子の上に設けられた、第１の蛍光体を有する第１の蛍光体層と、前記第１の蛍光体層の上に設けられた、第２の蛍光体を有する第２の蛍光体層と、を有する発光装置の製造方法であり、  前記発光素子、前記第１の蛍光体および前記第２の蛍光体が発する混合色の色度に関し、前記発光素子の波長および発光強度、前記第１の蛍光体の第１の総重量または前記第２の蛍光体の第２の総重量に対する依存性に関するデータを準備する工程と、  前記発光素子の前記波長および前記発光強度を実測する工程と、  実測した前記波長および前記発光強度を含む前記混合色が所定の色度になるように、前記依存性から前記第１の総重量および前記第２の総重量を個別に決定する工程と、  前記第１の総重量の前記第１の蛍光体を含む前記第１の蛍光体層により前記発光素子の少なくとも一部を被覆する工程と、  前記第２の総重量の前記第２の蛍光体を含む前記第２の蛍光体層により前記第１の蛍光体層の少なくとも一部を被覆する工程と、  を備えた発光装置の製造方法。
【請求項２】
前記依存性を予め求める工程は、  複数種の前記発光素子のそれぞれ、複数種の前記第１の蛍光体のそれぞれ、および複数種の前記第２の蛍光体のそれぞれを組み合わせた複数の混合色のそれぞれの赤色強度Ｉｒ、緑色強度Ｉｇ、および青色強度Ｉｂから、複数の赤刺激値Ｘ、複数の緑刺激値Ｙ、および複数の青刺激値Ｚを求める工程と、  前記複数の赤刺激値Ｘのそれぞれ、前記複数の緑刺激値Ｙのそれぞれ、および前記複数の青刺激値Ｚのそれぞれから、複数の仮色度（Ｃｘ’、Ｃｙ’）を求める工程と、  前記複数の仮色度（Ｃｘ’、Ｃｙ’）と前記複数の色度（Ｃｘ、Ｃｙ）との線形関係を求める工程と、  有する請求項１記載の発光装置の製造方法。  （ここで、  赤刺激値Ｘ＝ｘｒ×赤色強度Ｉｒ＋ｘｇ×緑色強度Ｉｇ＋ｘｂ×青色強度Ｉｂ・・・（１）式  緑刺激値Ｙ＝ｙｒ×赤色強度Ｉｒ＋ｙｇ×緑色強度Ｉｇ＋ｙｂ×青色強度Ｉｂ・・・（２）式  青刺激値Ｚ＝ｚｒ×赤色強度Ｉｒ＋ｚｇ×緑色強度Ｉｇ＋ｚｂ×青色強度Ｉｂ・・・（３）式  Ｃｘ’＝赤刺激値Ｘ／（赤刺激値Ｘ＋緑刺激値Ｙ＋青刺激値Ｚ）・・・（４）式  Ｃｙ’＝緑刺激値Ｙ／（赤刺激値Ｘ＋緑刺激値Ｙ＋青刺激値Ｚ）・・・（５）式  ｘｒ、ｘｇ、ｘｂ、ｙｒ、ｙｇ、ｙｂ、ｚｒ、ｚｇ、ｚｂは、等色関数ファクタ）
【請求項３】
発光素子と、前記発光素子の上に設けられた、第１の蛍光体を有する第１の蛍光体層と、前記第１の蛍光体層の上に設けられた、第２の蛍光体を有する第２の蛍光体層と、前記第２の蛍光体層の上に設けられた、第３の蛍光体を有する第３の蛍光体層と、を有する発光装置の製造方法であり、  前記発光素子、前記第１の蛍光体、前記第２の蛍光体および前記第３の蛍光体が発する混合色の色度に関し、前記発光素子の波長および発光強度、前記第１の蛍光体の第１の総重量、前記第２の蛍光体の第２の総重量または前記第３の蛍光体の第３の総重量に対する依存性に関するデータを準備する程と、  前記発光素子の前記波長および前記発光強度を実測する工程と、  実測した前記波長および前記発光強度を含む前記混合色が所定の色度になるように、前記依存性から前記第１の総重量、前記第２の総重量および前記第３の総重量を個別に決定する工程と、  前記第１の総重量の前記第１の蛍光体を含む前記第１の蛍光体層により前記発光素子の少なくとも一部を被覆する工程と、  前記第２の総重量の前記第２の蛍光体を含む前記第２の蛍光体層により前記第１の蛍光体層の少なくとも一部を被覆する工程と、  前記第３の総重量の前記第３の蛍光体を含む前記第３の蛍光体層により前記第２の蛍光体層の少なくとも一部を被覆する工程と、  を備えた発光装置の製造方法。
【請求項４】
前記依存性を予め求める工程は、  複数種の前記発光素子のそれぞれ、複数種の前記第１の蛍光体のそれぞれ、複数種の前記第２の蛍光体のそれぞれ、および複数種の前記第３の蛍光体のそれぞれ、を組み合わせた複数の混合色のそれぞれの赤色強度Ｉｒ、緑色強度Ｉｇ、および青色強度Ｉｂから、複数の赤刺激値Ｘ、複数の緑刺激値Ｙ、および複数の青刺激値Ｚを求める工程と、  前記複数の赤刺激値Ｘのそれぞれ、前記複数の緑刺激値Ｙのそれぞれ、および前記複数の青刺激値Ｚのそれぞれから、複数の仮色度（Ｃｘ’、Ｃｙ’）を求める工程と、  前記複数の仮色度（Ｃｘ’、Ｃｙ’）と前記複数の色度（Ｃｘ、Ｃｙ）との線形関係を求める工程と、  有する請求項１記載の発光装置の製造方法。  （ここで、  赤刺激値Ｘ＝ｘｒ×赤色強度Ｉｒ＋ｘｇ×緑色強度Ｉｇ＋ｘｂ×青色強度Ｉｂ・・・（１）式  緑刺激値Ｙ＝ｙｒ×赤色強度Ｉｒ＋ｙｇ×緑色強度Ｉｇ＋ｙｂ×青色強度Ｉｂ・・・（２）式  青刺激値Ｚ＝ｚｒ×赤色強度Ｉｒ＋ｚｇ×緑色強度Ｉｇ＋ｚｂ×青色強度Ｉｂ・・・（３）式  Ｃｘ’＝赤刺激値Ｘ／（赤刺激値Ｘ＋緑刺激値Ｙ＋青刺激値Ｚ）・・・（４）式  Ｃｙ’＝緑刺激値Ｙ／（赤刺激値Ｘ＋緑刺激値Ｙ＋青刺激値Ｚ）・・・（５）式  ｘｒ、ｘｇ、ｘｂ、ｙｒ、ｙｇ、ｙｂ、ｚｒ、ｚｇ、ｚｂは、等色関数ファクタ）
【請求項５】
前記等色関数ファクタを調整することにより、前記複数の仮色度（Ｃｘ’、Ｃｙ’）と前記複数の色度（Ｃｘ、Ｃｙ）との線形関係を求める請求項２または４に記載の発光装置の製造方法。
【請求項６】
前記所定の色度は、Ｃｘ＝Ｃｙ＝０．３３である請求項１〜５のいずれか１つに記載の発光装置の製造方法。
【請求項７】
前記第１の蛍光体と前記第２の蛍光体とのうちで、前記発光素子から放出される光に対する感度依存が大きいものの総重量は、前記発光素子から放出される光に対する感度依存が小さいものの総重量よりも優先的に調整されたことを特徴とする請求項１〜６のいずれか１つに記載の発光装置の製造方法。
【請求項８】
前記第３の蛍光体層の上に蛍光体を含まない樹脂部材をさらに形成し、  前記樹脂部材の硬化前の比重は、前記第１の蛍光体層と前記第２の蛍光体層と前記第３の蛍光体層のいずれの硬化前の比重よりも低いことを特徴とする請求項３〜７のいずれか１つに記載の発光装置の製造方法。
【請求項９】
前記第１の蛍光体層により前記発光素子の少なくとも一部を被覆する前に、前記第１の蛍光体層に含まれる樹脂部材よりも比重の低い樹脂部材により前記発光素子の少なくとも一部を被覆する請求項１〜７のいずれか１つに記載の発光装置の製造方法。
【請求項１０】
請求項１〜９のいずれか１つの発光装置の製造方法を可能にする発光装置製造装置であって、  前記実測する工程を実施可能な測定部と、  前記データが格納され前記決定する工程を実施可能な制御部と、  前記被覆する工程を実施可能な塗布機構部と、  を備えた発光装置製造装置。
【請求項１１】
請求項１〜９に係る発光装置の製造方法によって製造された発光装置。
【手続補正３】
【補正対象書類名】明細書
【補正対象項目名】０００６
【補正方法】変更
【補正の内容】
【０００６】  本発明の一態様によれば、発光素子と、前記発光素子の上に設けられた、第１の蛍光体を有する第１の蛍光体層と、前記第１の蛍光体層の上に設けられた、第２の蛍光体を有する第２の蛍光体層と、を有する発光装置の製造方法であり、前記発光素子、前記第１の蛍光体および前記第２の蛍光体が発する混合色の色度に関し、前記発光素子の波長および発光強度、前記第１の蛍光体の第１の総重量または前記第２の蛍光体の第２の総重量に対する依存性に関するデータを準備する工程と、前記発光素子の前記波長および前記発光強度を実測する工程と、実測した前記波長および前記発光強度を含む前記混合色が所定の色度になるように、前記依存性から前記第１の総重量および前記第２の総重量を個別に決定する工程と、前記第１の総重量の前記第１の蛍光体を含む前記第１の蛍光体層により前記発光素子の少なくとも一部を被覆する工程と、前記第２の総重量の前記第２の蛍光体を含む前記第２の蛍光体層により前記第１の蛍光体層の少なくとも一部を被覆する工程と、を備えた発光装置の製造方法が提供される。
【手続補正４】
【補正対象書類名】明細書
【補正対象項目名】０００７
【補正方法】変更
【補正の内容】
【０００７】  また、本発明の一態様によれば、発光素子と、前記発光素子の上に設けられた、第１の蛍光体を有する第１の蛍光体層と、前記第１の蛍光体層の上に設けられた、第２の蛍光体を有する第２の蛍光体層と、前記第２の蛍光体層の上に設けられた、第３の蛍光体を有する第３の蛍光体層と、を有する発光装置の製造方法であり、前記発光素子、前記第１の蛍光体、前記第２の蛍光体および前記第３の蛍光体が発する混合色の色度に関し、前記発光素子の波長および発光強度、前記第１の蛍光体の第１の総重量、前記第２の蛍光体の第２の総重量または前記第３の蛍光体の第３の総重量に対する依存性に関するデータを準備する程と、前記発光素子の前記波長および前記発光強度を実測する工程と、実測した前記波長および前記発光強度を含む前記混合色が所定の色度になるように、前記依存性から前記第１の総重量、前記第２の総重量および前記第３の総重量を個別に決定する工程と、前記第１の総重量の前記第１の蛍光体を含む前記第１の蛍光体層により前記発光素子の少なくとも一部を被覆する工程と、前記第２の総重量の前記第２の蛍光体を含む前記第２の蛍光体層により前記第１の蛍光体層の少なくとも一部を被覆する工程と、前記第３の総重量の前記第３の蛍光体を含む前記第３の蛍光体層により前記第２の蛍光体層の少なくとも一部を被覆する工程と、を備えたことを特徴とする発光装置の製造方法が提供される。  また、本発明の一態様によれば、上述した発光装置の製造方法を可能にする発光装置製造装置であって、前記実測する工程を実施可能な測定部と、前記データが格納され前記決定する工程を実施可能な制御部と、前記被覆する工程を実施可能な塗布機構部と、を備えた発光装置製造装置が提供される。
【手続補正５】
【補正対象書類名】明細書
【補正対象項目名】０００８
【補正方法】変更
【補正の内容】
【０００８】  また、本発明の一態様によれば、上述した発光装置の製造方法によって製造された発光装置が提供される。